【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの現在ブロックのための動き予測候補リスト中の動き予測候補を識別する候補インデックスの値は動き情報が前記現在ブロックのサブブロックについて導出されるべきであることを示す、と決定することと、
前記決定に応答して、
前記候補インデックスに基づいて、および前記現在ブロックが前記サブブロックにスプリットされることを示す、前記候補インデックス以外のシンタックス要素を復号することなしに、前記サブブロックを決定することと、
前記サブブロックの各々について、上に隣接するブロックと、左に隣接するブロックと、時間的に隣接するブロックとのための動き情報の平均を使用して動き情報を導出することと、
前記それぞれの導出された動き情報を使用して前記サブブロックを復号することと
を備える、方法。
【請求項２】
前記上に隣接するブロックが、前記現在ブロック内の上に隣接するサブブロックを備える、請求項１に記載の方法。
【請求項３】
前記左に隣接するブロックが、前記現在ブロック内の左に隣接するサブブロックを備える、請求項１に記載の方法。
【請求項４】
前記上に隣接するブロックが、前記現在ブロックの外の上に隣接するサブブロックを備える、請求項１に記載の方法。
【請求項５】
前記左に隣接するブロックが、前記現在ブロックの外の左に隣接するサブブロックを備える、請求項１に記載の方法。
【請求項６】
前記時間的に隣接するブロックが、前に復号されたピクチャ中で前記現在ブロックとコロケートされたブロックに隣接する前記前に復号されたピクチャ中のブロックを備える、請求項１に記載の方法。
【請求項７】
前記上に隣接するブロックと、前記左に隣接するブロックと、前記時間的に隣接するブロックとが、前記サブブロックのサイズに等しいかまたはそれらよりも小さいサイズを有する、請求項１に記載の方法。
【請求項８】
前記サブブロックのサイズを表すデータを復号することをさらに備える、請求項１に記載の方法。
【請求項９】
前記サブブロックの前記サイズを表す前記データを復号することが、スライスヘッダ、シーケンスパラメータセット（ＳＰＳ）、またはピクチャパラメータセット（ＰＰＳ）のうちの少なくとも１つ中で前記データを復号することを備える、請求項８に記載の方法。
【請求項１０】
前記動き情報を導出することが、前記上に隣接するブロックと、前記左に隣接するブロックと、前記時間的に隣接するブロックとのための動き情報を共通参照ピクチャにスケーリングすることを備える、請求項１に記載の方法。
【請求項１１】
前記動き情報を導出することが、以下の式、
【数１】
2018522468.tif 000001
に従って前記サブブロックの各々について動きベクトル（ＭＶ）を導出することを備え、ここで、ｗiが水平重み付けファクタを表し、ｗjが垂直重み付けファクタを表し、Ｏiが水平オフセット値を表し、Ｏjが垂直オフセット値を表す、請求項１に記載の方法。
【請求項１２】
前記動き予測候補を前記動き予測候補リストに追加することをさらに備える、請求項１に記載の方法。
【請求項１３】
前記サブブロックを復号することより前に前記サブブロックを符号化することをさらに備え、前記方法が、前記現在ブロックのための前記動き予測候補を識別するデータを符号化することをさらに備える、請求項１に記載の方法。
【請求項１４】
前記方法がワイヤレス通信デバイス上で実行可能であり、ここにおいて、前記デバイスが、
前記ビデオデータを記憶するように構成されるメモリと、
前記メモリに記憶された前記ビデオデータを処理するための命令を実行するように構成されるプロセッサと、
前記ビデオデータの符号化バージョンを受信するように構成される受信機と
を備える、請求項１に記載の方法。
【請求項１５】
前記ワイヤレス通信デバイスがセルラー電話であり、前記符号化ビデオデータが、前記受信機によって受信され、セルラー通信規格に従って変調される、請求項１４に記載の方法。
【請求項１６】
ビデオデータを復号するためのデバイスであって、
回路を備え、ビデオデータを記憶するように構成されるメモリと、
回路を備え、
前記ビデオデータの現在ブロックのための動き予測候補リスト中の動き予測候補を識別する候補インデックスの値は動き情報が前記現在ブロックのサブブロックについて導出されるべきであることを示す、と決定することと、
前記決定に応答して、
前記候補インデックスに基づいて、および前記現在ブロックが前記サブブロックにスプリットされることを示す、前記候補インデックス以外のシンタックス要素を復号することなしに、前記サブブロックを決定することと、
前記サブブロックの各々について、上に隣接するブロックと、左に隣接するブロックと、時間的に隣接するブロックとのための動き情報の平均を使用して動き情報を導出することと、
前記それぞれの導出された動き情報を使用して前記サブブロックを復号することと
をするように構成される、ビデオデコーダと
を備える、デバイス。
【請求項１７】
前記上に隣接するサブブロックが、前記現在ブロック内のまたは前記現在ブロック外の上に隣接するサブブロックを備え、
前記左に隣接するサブブロックが、前記現在ブロック内のまたは前記現在ブロック外の左に隣接するサブブロックを備える、請求項１６に記載のデバイス。
【請求項１８】
前記ビデオデコーダが、スライスヘッダ、シーケンスパラメータセット（ＳＰＳ）、またはピクチャパラメータセット（ＰＰＳ）のうちの少なくとも１つから、前記サブブロックのサイズを表すデータを復号するようにさらに構成される、請求項１６に記載のデバイス。
【請求項１９】
前記ビデオデコーダが、前記上に隣接するブロックと、前記左に隣接するブロックと、前記時間的に隣接するブロックとのための動き情報を共通参照ピクチャにスケーリングするようにさらに構成される、請求項１６に記載のデバイス。
【請求項２０】
前記ビデオデコーダが前記サブブロックを復号する前に、前記サブブロックを符号化するように構成されるビデオエンコーダをさらに備える、請求項１６に記載のデバイス。
【請求項２１】
前記デバイスがワイヤレス通信デバイスであり、
前記ビデオデータの符号化バージョンを受信するように構成される受信機をさらに備える、請求項１６に記載のデバイス。
【請求項２２】
前記ワイヤレス通信デバイスがセルラー電話であり、前記符号化ビデオデータが、前記受信機によって受信され、セルラー通信規格に従って変調される、請求項２１に記載のデバイス。
【請求項２３】
ビデオデータを復号するためのデバイスであって、
ビデオデータの現在ブロックのための動き予測候補リスト中の動き予測候補を識別する候補インデックスの値は動き情報が前記現在ブロックのサブブロックについて導出されるべきであることを示す、と決定するための手段と、
前記決定に応答して、前記候補インデックスに基づいて、および前記現在ブロックが前記サブブロックにスプリットされることを示す、前記候補インデックス以外のシンタックス要素を復号することなしに、前記サブブロックを決定するための手段と、
前記決定に応答して、前記サブブロックの各々について、上に隣接するブロックと、左に隣接するブロックと、時間的に隣接するブロックとのための動き情報の平均を使用して動き情報を導出するための手段と、
前記決定に応答して、前記それぞれの導出された動き情報を使用して前記サブブロックを復号するための手段と
を備える、デバイス。
【請求項２４】
前記上に隣接するサブブロックが、前記現在ブロック内のまたは前記現在ブロック外の上に隣接するサブブロックを備え、
前記左に隣接するサブブロックが、前記現在ブロック内のまたは前記現在ブロック外の左に隣接するサブブロックを備える、請求項２３に記載のデバイス。
【請求項２５】
復号するための前記手段が前記サブブロックを復号する前に、前記サブブロックを符号化するための手段をさらに備える、請求項２３に記載のデバイス。
【請求項２６】
実行されたとき、プロセッサに、
ビデオデータの現在ブロックのための動き予測候補リスト中の動き予測候補を識別する候補インデックスの値は動き情報が前記現在ブロックのサブブロックについて導出されるべきであることを示す、と決定することと、
前記決定に応答して、
前記候補インデックスに基づいて、および前記現在ブロックが前記サブブロックにスプリットされることを示す、前記候補インデックス以外のシンタックス要素を復号することなしに、前記サブブロックを決定することと、
前記サブブロックの各々について、上に隣接するブロックと、左に隣接するブロックと、時間的に隣接するブロックとのための動き情報の平均を使用して動き情報を導出することと、
前記それぞれの導出された動き情報を使用して前記サブブロックを復号することと
をさせる命令を記憶した非一時的コンピュータ可読記憶媒体。